(57)【要約】【課題】オイルフィルタを使用するときの作業性を向上することができるオイルフィルタの収納構造を提供する。【解決手段】オイルフィルタ１１の収納構造は、一端部に開口面１２を有したオイルフィルタ１１と、開口面１２を覆うようにオイルフィルタ１１の一端部に対して引き剥がし可能に装着されたフィルム状のカバー部材１３と、カバー部材１３が装着された状態のオイルフィルタ１１を収納する有底箱状の収納ケース１５とを備える。オイルフィルタ１１はカバー部材１３が収納ケース１５の底壁１６と対向するように収納ケース１５内に収納され、カバー部材１３は一部が収納ケース１５の内面に接合されている。【選択図】図４
2020083349.tif 000002
【特許請求の範囲】
【請求項１】
一端部に開口面を有したオイルフィルタと、
前記開口面を覆うように前記オイルフィルタの前記一端部に対して引き剥がし可能に装着されたフィルム状のカバー部材と、
前記カバー部材が装着された状態の前記オイルフィルタを収納する有底箱状の収納ケースと、
を備えたオイルフィルタの収納構造であって、
前記オイルフィルタは、前記カバー部材が前記収納ケースの底壁と対向するように前記収納ケース内に収納され、
前記カバー部材は、一部が前記収納ケースの内面に接合されていることを特徴とするオイルフィルタの収納構造。
【請求項２】
前記カバー部材の一部は、前記収納ケースの前記底壁の内面に接合され、
前記収納ケースは、前記底壁が内側に折り曲げられることによって全体が折り畳まれる折り畳み式のケースであることを特徴とする請求項１に記載のオイルフィルタの収納構造。
【請求項３】
前記カバー部材の一部と、前記収納ケースの内面とは、接合部材によって接合されていることを特徴とする請求項１または請求項２に記載のオイルフィルタの収納構造。
【請求項４】
前記カバー部材には、前記カバー部材における他の部位よりも脆弱な脆弱部が渦巻き状に延びるように形成されていることを特徴とする請求項１〜請求項３のうちいずれか一項に記載のオイルフィルタの収納構造。
【発明の詳細な説明】
【技術分野】
【０００１】
本発明は、例えば自動車のエンジン内などを循環するオイルを濾過するオイルフィルタの収納構造に関する。
【背景技術】
【０００２】
一般に、自動車のエンジンや各種油圧機器などに用いられるオイルは、オイルフィルタによって濾過される。こうしたオイルフィルタは、例えば特許文献１に示されるように、段ボール箱に１つずつ収納されるようになっている。この場合、特に自動車用の新品のオイルフィルタは、オイルの出入り口のある開口面が薄くて透明な合成樹脂製のカバー部材によって覆われている。
【先行技術文献】
【特許文献】
【０００３】
【特許文献１】実開平６−３２３７０号公報
【発明の概要】
【発明が解決しようとする課題】
【０００４】
ところで、上述のようなオイルフィルタは、開口面がカバー部材によって覆われた状態で段ボール箱に１つずつ収納されている。このため、オイルフィルタを使用する場合には、段ボール箱を開けてオイルフィルタを取り出した後、オイルフィルタからカバー部材を剥がす必要があるので、オイルフィルタを使用するときの作業性があまりよくないという問題がある。
【０００５】
本発明は、このような従来技術に存在する問題点に着目してなされた。その目的は、オイルフィルタを使用するときの作業性を向上することができるオイルフィルタの収納構造を提供することにある。
【課題を解決するための手段】
【０００６】
以下、上記課題を解決するための手段及びその作用効果について記載する。
上記課題を解決するオイルフィルタの収納構造は、一端部に開口面を有したオイルフィルタと、前記開口面を覆うように前記オイルフィルタの前記一端部に対して引き剥がし可能に装着されたフィルム状のカバー部材と、前記カバー部材が装着された状態の前記オイルフィルタを収納する有底箱状の収納ケースと、を備えたオイルフィルタの収納構造であって、前記オイルフィルタは、前記カバー部材が前記収納ケースの底壁と対向するように前記収納ケース内に収納され、前記カバー部材は、一部が前記収納ケースの内面に接合されていることを要旨とする。
【０００７】
この構成によれば、カバー部材の一部が収納ケースの内面に接合されているため、オイルフィルタを収納ケースから取り出す際にカバー部材が引っ張られてオイルフィルタから引き剥がされる。すなわち、オイルフィルタを収納ケースから取り出すだけで、オイルフィルタからカバー部材が引き剥がされる。したがって、収納ケースから取り出したオイルフィルタが直ぐに使用できる状態になるので、オイルフィルタを使用するときの作業性を向上することができる。
【発明の効果】
【０００８】
本発明によれば、オイルフィルタを使用するときの作業性を向上することができる。
【図面の簡単な説明】
【０００９】
【図１】カバー部材が装着されたオイルフィルタの一実施形態を示す側面図。
【図２】収納ケース内に図１のオイルフィルタが収納されたときの状態を示す斜視図。
【図３】（ａ）〜（ｃ）は、収納ケースの底壁の組み方を示す模式図。
【図４】カバー部材が装着されたオイルフィルタの底面模式図。
【図５】収納ケースからカバー部材が装着されたオイルフィルタを取り出すときの状態を示す斜視図。
【図６】（ａ）はカバー部材が引き剥がされた後のオイルフィルタの斜視図、（ｂ）は折り畳まれた状態の収納ケースの斜視図、（ｃ）はオイルフィルタから引き剥がされたカバー部材の斜視図。
【発明を実施するための形態】
【００１０】
以下、オイルフィルタの収納構造の一実施形態を図面に従って説明する。
図１に示すように、オイルフィルタ１１は、円柱状をなしており、一端部にオイルの出入口が開口する開口面１２を有している。すなわち、オイルフィルタ１１の一端面が開口面１２とされている。オイルフィルタ１１の一端部には、開口面１２を覆うように無色透明のフィルム状をなす合成樹脂製のカバー部材１３が引き剥がし可能に装着されている。すなわち、カバー部材１３は、オイルフィルタ１１の周面における一端部と、開口面１２全体とを覆っている。
【００１１】
図２に示すように、カバー部材１３が装着された状態のオイルフィルタ１１は、上端が蓋部１４によって開閉可能な有底箱状の収納ケース１５内に収納される。この場合、オイルフィルタ１１は、カバー部材１３が収納ケース１５の底壁１６と対向するように、収納ケース１５内に収納される。収納ケース１５は、紙製であることが好ましく、例えば厚紙や段ボールなどによって構成される。
【００１２】
図３（ａ）〜図３（ｃ）に示すように、収納ケース１５の底壁１６は、４枚の略三角板状をなす舌片１７を順次に折り曲げて組むことによって形成される。すなわち、収納ケース１５の底壁１６は、いわゆる風車式になっている。したがって、収納ケース１５は、底壁１６が内側に折り曲げられることによって全体が折り畳まれる折りたたみ式のケースであると言える。
【００１３】
図４に示すように、カバー部材１３におけるオイルフィルタ１１の開口面１２と対向する領域には、カバー部材１３における他の部位よりも脆弱な脆弱部１８が渦巻き状に延びるように形成されている。脆弱部１８は、例えばカバー部材１３における他の部位よりも厚さを薄くすることによって形成される。
【００１４】
カバー部材１３の外周部には、径方向に突出する突出部１９が形成されている。突出部１９は、カバー部材１３の一部であり、脆弱部１８における外周側の端部と繋がっている。突出部１９の先端部は、収納ケース１５の底壁１６の内面に接合部材２０によって接合されている。接合部材２０には、例えば接着剤や粘着テープなどが用いられる。
【００１５】
次に、収納ケース１５内に収納されたオイルフィルタ１１を使用するときの作用について説明する。
収納ケース１５内に収納されたオイルフィルタ１１を使用する場合には、収納ケース１５内からオイルフィルタ１１を取り出す必要がある。そして、収納ケース１５内からオイルフィルタ１１を取り出す場合には、まず、図２に示すように、収納ケース１５の蓋部１４を開ける。続いて、一方の手で収納ケース１５を持った状態で他方の手でオイルフィルタ１１を掴みながら収納ケース１５内から外部へ向かって引き出す。
【００１６】
このとき、オイルフィルタ１１に装着されたカバー部材１３の突出部１９が収納ケース１５の底壁１６の内面に接合部材２０によって接合されているため、収納ケース１５内からのオイルフィルタ１１の引き出しに伴って突出部１９が引っ張られる。すると、図４及び図５に示すように、カバー部材１３は、脆弱部１８に沿って外周側から中心側に向かって順次に帯状に破断されてから中心側から外周側に向かって順次に帯状に破断される。
【００１７】
引き続き、オイルフィルタ１１を掴みながら収納ケース１５から遠ざかるように引っ張ると、図６（ａ）に示すように、オイルフィルタ１１からカバー部材１３が完全に引き剥がされてオイルフィルタ１１が直ぐに使用できる状態になる。このとき、カバー部材１３によって収納ケース１５の底壁１６が内側に引っ張られて内側に折り曲げられるので、図６（ｂ）に示すように、収納ケース１５全体が折り畳まれる。
【００１８】
引き続き、オイルフィルタ１１から帯状に引き剥がされた後のカバー部材１３を持って収納ケース１５から引っ張ると、図６（ｃ）に示すように、帯状に引き剥がされたカバー部材１３が接合部材２０ごと収納ケース１５の底壁１６から外れる。これにより、紙製の収納ケース１５と、合成樹脂製のカバー部材１３及び接合部材２０とが容易に分別される。
【００１９】
このように、本実施形態のオイルフィルタ１１の収納構造では、収納ケース１５からオイルフィルタ１１を引き出すだけで、オイルフィルタ１１からカバー部材１３を容易に引き剥がすことができるので、オイルフィルタ１１を使用するときの作業性を向上できる。しかも、収納ケース１５からオイルフィルタ１１を引き出すことによって、同時に収納ケース１５を折り畳むこともできる。さらに、オイルフィルタ１１の使用後は、オイルフィルタ１１から引き剥がされた後のカバー部材１３を収納ケース１５から引っ張るだけで、紙製の収納ケース１５と、合成樹脂製のカバー部材１３及び接合部材とを容易に分別することができる。したがって、収納ケース１５、カバー部材１３、及び接合部材の廃棄の作業性も向上できる。
【００２０】
以上詳述した実施形態によれば、次のような効果が発揮される。
（１）オイルフィルタ１１の収納構造において、オイルフィルタ１１はカバー部材１３が収納ケース１５の底壁１６と対向するように収納ケース１５内に収納され、カバー部材１３は一部が収納ケース１５の内面に接合されている。この構成によれば、カバー部材１３の一部が収納ケース１５の内面に接合されているため、オイルフィルタ１１を収納ケース１５から取り出す際にカバー部材１３が引っ張られてオイルフィルタ１１から引き剥がされる。すなわち、オイルフィルタ１１を収納ケース１５から取り出すだけで、オイルフィルタ１１からカバー部材１３を引き剥がすことができる。したがって、収納ケース１５から取り出したオイルフィルタ１１が直ぐに使用できる状態になるので、オイルフィルタ１１を使用するときの作業性を向上することができる。
【００２１】
（２）オイルフィルタ１１の収納構造において、カバー部材１３の突出部１９は収納ケース１５の底壁１６の内面に接合され、収納ケース１５は底壁１６が内側に折り曲げられることによって全体が折り畳まれる折り畳み式のケースである。この構成によれば、カバー部材１３の一部が収納ケース１５の底壁１６の内面に接合されているため、オイルフィルタ１１を収納ケース１５から取り出す際にカバー部材１３を介して底壁１６を内側に引っ張って折り曲げることにより、収納ケース１５全体を折り畳むことができる。すなわち、オイルフィルタ１１を収納ケース１５から取り出すだけで、収納ケース１５全体を折り畳むことができる。
【００２２】
（３）オイルフィルタ１１の収納構造において、カバー部材１３の突出部１９と、収納ケース１５の底壁１６の内面とは、接合部材２０によって接合されている。この構成によれば、カバー部材１３の突出部１９と、収納ケース１５の底壁１６の内面との接合強度を高めることができる。
【００２３】
（４）オイルフィルタ１１の収納構造において、カバー部材１３には、カバー部材１３における他の部位よりも脆弱な脆弱部１８が渦巻き状に延びるように形成されている。この構成によれば、カバー部材１３は、オイルフィルタ１１を収納ケース１５から取り出すことによって引っ張られてオイルフィルタ１１から引き剥がされる際に、脆弱部１８に沿って帯状に破断される。このため、カバー部材１３は帯状に破断されるに連れて長さが長くなるので、収納ケース１５外でカバー部材１３を比較的弱い力でオイルフィルタ１１から引き剥がすことができる。
【００２４】
（変更例）
なお、上記実施形態は次のように変更してもよい。
・、カバー部材１３の脆弱部１８は、必ずしも渦巻き状に延びるように形成する必要はない。例えば、カバー部材１３の脆弱部１８は、直線状に延びるように形成してもよいし、ジグザグに延びるように形成してもよいし、波形に延びるように形成してもよい。
【００２５】
・脆弱部１８は省略してもよい。
・接合部材２０は省略してもよい。この場合、カバー部材１３の突出部１９は、収納ケース１５の底壁１６の内面に対して溶着することが好ましい。
【００２６】
・カバー部材１３の突出部１９は、収納ケース１５の側壁の内面に接合するようにしてもよい。
・収納ケース１５は、必ずしも底壁１６が内側に折り曲げられることによって全体が折り畳まれる折り畳み式のケースである必要はない。
【符号の説明】
【００２７】
１１…オイルフィルタ、１２…開口面、１３…カバー部材、１５…収納ケース、１６…底壁、１８…脆弱部、２０…接合部材。
【図１】
2020083349.tif 000003
【図２】
2020083349.tif 000004
【図３】
2020083349.tif 000005
【図４】
2020083349.tif 000006
【図５】
2020083349.tif 000007
【図６】
2020083349.tif 000008